(57)【特許請求の範囲】
【請求項１】
軸方向に延在し、第１の領域及び第２の領域を含む巻芯部を有するコアと、
前記巻芯部に巻き回される第１の巻線と、
前記第１の巻線と並走するように前記巻芯部に巻き回される第２の巻線と、
を備え、
前記第１の領域は、前記第１の巻線が前記巻芯部に接している部分の一方側の第１の端部から第１の位置までであり、
前記第２の領域は、前記第１の領域と重ならない領域であって、前記第１の巻線が前記巻芯部に接している部分の他方側の第２の端部から第２の位置までであり、
前記第１の巻線は、前記第１の領域において、該第１の巻線と同一周回の前記第２の巻線に対して前記一方側に位置し、前記第２の領域において、該第１の巻線と同一周回の該第２の巻線に対して前記他方側に位置しており、
前記第１の巻線は、第１の領域及び第２の領域において、前記第２の巻線と前記巻芯部とで挟まれるように該巻芯部に巻き回されており、
前記コアは、前記巻芯部の軸方向の両端に鍔部を有し、
前記第１の巻線及び前記第２の巻線は、前記鍔部における前記軸方向に直交する直交方向の第１の方向に位置する面上の電極に接続され、
前記第１の巻線の巻き数と前記第２の巻線の巻き数とが等しく、
前記第１の巻線及び前記第２の巻線それぞれの巻き数が奇数であり、
前記第１の巻線及び前記第２の巻線とは、前記直交方向からみたとき、前記巻芯部における前記第１の方向と反対方向の第２の方向に位置する面で交差していること、
を特徴とするコモンモードチョークコイル。
【請求項２】
前記第１の巻線と前記第２の巻線との配置が、前記軸方向における前記第１の領域と前記第２の領域とを結ぶ該軸上の中点を通り、該軸方向と直交する直交面に関して面対称であること、
を特徴とする請求項１に記載のコモンモードチョークコイル。
【請求項３】
軸方向に延在し、第１の領域及び第２の領域を含む巻芯部を有するコアと、
前記巻芯部に巻き回される第１の巻線と、
前記第１の巻線と同一周回同士が並走するように前記巻芯部に巻き回される第２の巻線と、
を備え、
前記第１の領域は、前記第１の巻線が前記巻芯部に接している部分の一方側の第１の端部から第１の位置までであり、
前記第２の領域は、前記第１の領域と重ならない領域であって、前記第１の巻線が前記巻芯部に接している部分の他方側の第２の端部から第２の位置までであり、
前記第１の巻線は、前記第１の領域において、該第１の巻線と同一周回の前記第２の巻線に対して前記一方側に位置し、前記第２の領域において、該第１の巻線と同一周回の該第２の巻線に対して前記他方側に位置しており、
前記コアは、前記巻芯部の軸方向の両端に鍔部を有し、
前記第１の巻線及び前記第２の巻線は、前記鍔部における前記軸方向に直交する直交方向の第１の方向に位置する面上の電極に接続され、
前記第１の巻線の巻き数と前記第２の巻線の巻き数とが等しく、
前記第１の巻線及び前記第２の巻線それぞれの巻き数が偶数であり、
前記第１の巻線及び前記第２の巻線とは、前記直交方向からみたとき、前記巻芯部における前記第１の方向に位置する面で交差していること、
を特徴とするコモンモードチョークコイル。
【請求項４】
前記第１の巻線と前記第２の巻線との配置が、前記軸方向における前記第１の領域と前記第２の領域とを結ぶ該軸上の中点を通り、該軸方向と直交する直交面に関して面対称であること、
を特徴とする請求項３に記載のコモンモードチョークコイル。
【請求項５】
前記第１の巻線は、第１の領域及び第２の領域において、前記第２の巻線と前記巻芯部とで挟まれるように該巻芯部に巻き回されていること、
を特徴とする請求項３又は請求項４いずれかに記載のコモンモードチョークコイル。
【請求項６】
請求項３又は請求項４のいずれかに記載のコモンモードチョークコイルの製造方法であって、
前記第１の領域及び前記第２の領域において、前記第１の巻線及び前記第２の巻線の双方が、前記巻芯部に接するように巻き回されていること、
を特徴とするコモンモードチョークコイルの製造方法。
【発明の詳細な説明】
【技術分野】
【０００１】
本発明は、コモンモードチョークコイル及びその製造方法に関する。
【背景技術】
【０００２】
従来のコモンモードチョークコイルとして、特許文献１に記載のコモンモードチョークコイルが知られている。この種の従来のコモンモードチョークコイルでは、信号が該コモンモードチョークを通過する際に、ディファレンシャルモードの信号の一部が、コモンモードの信号に変換され、コモンモードの信号の一部が、ディファレンシャルモードの信号に変換されてしまう場合があった（以下、モード変換と称す）。そして、コモンモードチョークコイルが使用される差動伝送回路では、モード変換によって発生したコモンモードの信号は輻射ノイズとなり、モード変換によって発生したディファレンシャルモードの信号は回路の誤動作を引き起こす。つまり、従来のコモンモードチョークコイルでは、輻射ノイズを発生させてしまう、又は、回路のイミュニティを低下させてしまう問題があった。
【先行技術文献】
【特許文献】
【０００３】
【特許文献１】特開２００６−２６１５６４号公報
【発明の概要】
【発明が解決しようとする課題】
【０００４】
本発明の目的は、輻射ノイズを抑制することができ、且つ、回路のイミュニティを向上させることができるコモンモードチョークコイル及びその製造方法を提供することである。
【課題を解決するための手段】
【０００５】
本発明の第１の形態に係るコモンモードチョークコイルは、
軸方向に延在し、第１の領域及び第２の領域を含む巻芯部を有するコアと、
前記巻芯部に巻き回される第１の巻線と、
前記第１の巻線と並走するように前記巻芯部に巻き回される第２の巻線と、
を備え、
前記第１の領域は、前記第１の巻線が前記巻芯部に接している部分の一方側の第１の端部から第１の位置までであり、
前記第２の領域は、前記第１の領域と重ならない領域であって、前記第１の巻線が前記巻芯部に接している部分の他方側の第２の端部から第２の位置までであり、
前記第１の巻線は、前記第１の領域において、該第１の巻線と同一周回の前記第２の巻線に対して前記一方側に位置し、前記第２の領域において、該第１の巻線と同一周回の該第２の巻線に対して前記他方側に位置しており、
前記第１の巻線は、第１の領域及び第２の領域において、前記第２の巻線と前記巻芯部とで挟まれるように該巻芯部に巻き回されており、
前記コアは、前記巻芯部の軸方向の両端に鍔部を有し、
前記第１の巻線及び前記第２の巻線は、前記鍔部における前記軸方向に直交する直交方向の第１の方向に位置する面上の電極に接続され、
前記第１の巻線の巻き数と前記第２の巻線の巻き数とが等しく、
前記第１の巻線及び前記第２の巻線それぞれの巻き数が奇数であり、
前記第１の巻線及び前記第２の巻線とは、前記直交方向からみたとき、前記巻芯部における前記第１の方向と反対方向の第２の方向に位置する面で交差していること、
を特徴とする。
本発明の第２の形態に係るコモンモードチョークコイルは、
軸方向に延在し、第１の領域及び第２の領域を含む巻芯部を有するコアと、
前記巻芯部に巻き回される第１の巻線と、
前記第１の巻線と同一周回同士が並走するように前記巻芯部に巻き回される第２の巻線と、
を備え、
前記第１の領域は、前記第１の巻線が前記巻芯部に接している部分の一方側の第１の端部から第１の位置までであり、
前記第２の領域は、前記第１の領域と重ならない領域であって、前記第１の巻線が前記巻芯部に接している部分の他方側の第２の端部から第２の位置までであり、
前記第１の巻線は、前記第１の領域において、該第１の巻線と同一周回の前記第２の巻線に対して前記一方側に位置し、前記第２の領域において、該第１の巻線と同一周回の該第２の巻線に対して前記他方側に位置しており、
前記コアは、前記巻芯部の軸方向の両端に鍔部を有し、
前記第１の巻線及び前記第２の巻線は、前記鍔部における前記軸方向に直交する直交方向の第１の方向に位置する面上の電極に接続され、
前記第１の巻線の巻き数と前記第２の巻線の巻き数とが等しく、
前記第１の巻線及び前記第２の巻線それぞれの巻き数が偶数であり、
前記第１の巻線及び前記第２の巻線とは、前記直交方向からみたとき、前記巻芯部における前記第１の方向に位置する面で交差していること、
を特徴とする。
【０００６】
本発明の第３の形態に係るコモンモードチョークコイルの製造方法は、
前記コモンモードチョークコイルの製造方法であって、
前記第１の領域及び前記第２の領域において、前記第１の巻線及び前記第２の巻線の双方が、前記巻芯部に接するように巻き回されていること、
を特徴とする。
【０００７】
本発明の第１の形態に係るコモンモードチョークコイルでは、第１の巻線は、第１の領域において、同一周回の第２の巻線に対して一方側に位置し、第２の領域において、同一周回の第２の巻線に対して他方側に位置している。これにより、第１の巻線及び第２の巻線に交流電流が流れることによって発生する電磁界分布が一方側又は他方側に偏ることが抑制される。その結果、本発明の第１の形態に係るコモンモードチョークコイルでは、モード変換が抑制され、輻射ノイズを抑制することができ、且つ、回路のイミュニティを向上させることができる。
【発明の効果】
【０００８】
本発明によれば、輻射ノイズを抑制することができ、且つ、回路のイミュニティを向上させることができる。
【図面の簡単な説明】
【０００９】
【図１】一実施例であるコモンモードチョークコイルの外観図である。
【図２】一実施例であるコモンモードチョークコイルを巻芯部の軸方向と直交する方向から見た断面図である。
【図３】一実施例であるコモンモードチョークコイルの製造過程を示す図である。
【図４】一実施例であるコモンモードチョークコイルの製造過程を示す図である。
【図５】一実施例であるコモンモードチョークコイルの製造過程を示す図である。
【図６】比較例に係るコモンモードチョークコイルにおけるディファレンシャルモード信号印加時の巻線周辺の電界の向きを表す図である。
【図７】一実施例であるコモンモードチョークコイルにおけるディファレンシャルモード信号印加時の巻線周辺の電界の向きを表す図である。
【図８】変形例であるコモンモードチョークコイルの外観図である。
【図９】変形例であるコモンモードチョークコイルを巻芯部の軸方向と直交する方向から見た断面図である。
【図１０】一実施例及び変形例であるコモンモードチョークコイルに相当するサンプル並びに従来のコモンモードチョークコイルに相当するサンプルにおける、入力したコモンモード信号に対する出力されたディファレンシャルモード信号の割合と周波数の関係を示したグラフである。
【発明を実施するための形態】
【００１０】
（コモンモードチョークコイルの構成、図１及び図２参照）
一実施例に係るコモンモードチョークコイル１について図面を参照しながら説明する。以下で、巻芯部１４の中心軸が延在している方向をｘ軸方向と定義する。また、ｘ軸方向から平面視したとき、鍔部１６の長辺に沿った方向をｙ軸方向と定義し、鍔部１６の短辺に沿った方向をｚ軸方向と定義する。なお、ｘ軸、ｙ軸及びｚ軸は互いに直交している。
【００１１】
コモンモードチョークコイル１は、図１に示すように、コア１２、巻線２０，２１、外部電極２２〜２５及び板状コア５０を備えている。
【００１２】
コア１２は、例えばフェライト、アルミナ等の材料により構成され、巻芯部１４及び鍔部１６，１８を含んでいる。
【００１３】
巻芯部１４は、ｘ軸方向に延在している角柱状の部材である。ただし、巻芯部１４は、角柱状に限らず、円柱状であってもよい。
【００１４】
鍔部１６，１８は、巻芯部１４におけるｘ軸方向の両端に設けられている。具体的には、鍔部１６は、巻芯部１４のｘ軸方向の負方向側の一端に設けられている。鍔部１８は、巻芯部１４のｘ軸方向の正方向側の他端に設けられている。
【００１５】
鍔部１６は、略直方体状の形状を成している。また、鍔部１６のｘ軸方向の正方向側の面Ｓ１とｚ軸方向の正方向側（第１の方向）の面Ｓ２とが成す角には、鍔部１６の内部に向かって切り抜くような面取りが施されている。ただし、鍔部１６のｙ軸方向の中央部には、該面取りは施こされておらず、その代わりに、鍔部１６の面Ｓ２から巻芯部１４のｚ軸方向の正方向側の面Ｓ３に向かって伸びる斜面が設けられている。
【００１６】
鍔部１８は、直方体状の形状を成している。また、鍔部１８のｘ軸方向の負方向側の面Ｓ４とｚ軸方向の正方向側の面Ｓ５とが成す角には、鍔部１８の内部に向かって切り抜くような面取りが施されている。ただし、鍔部１８のｙ軸方向の中央部には、該面取りは施こされておらず、その代わりに、鍔部１８の面Ｓ５から巻芯部１４の面Ｓ３に向かって伸びる斜面が設けられている。
【００１７】
外部電極２２〜２５は、Ｎｉ及びＮｉ−Ｃｒ、Ｎｉ−Ｃｕ等のＮｉ系合金やＡｇ、Ｃｕ、Ｓｎ等により構成されている。また、外部電極２２〜２５は、ｚ軸方向の正方向側から見ると、略矩形形状を成している。
【００１８】
外部電極２２，２３は、ｙ軸方向の負方向側から正方向側に向かってこの順に並ぶように鍔部１６の面Ｓ２上に設けられている。このとき、外部電極２２，２３は、互いに接触しないように間隔をあけた状態で並んでいる。
【００１９】
外部電極２４，２５は、ｙ軸方向の負方向側から正方向側に向かってこの順に並ぶように鍔部１８の面Ｓ５上に設けられている。このとき、外部電極２４，２５は、互いに接触しないように間隔をあけた状態で並んでいる。
【００２０】
巻線２０，２１は、巻芯部１４に巻き回されている導線であり、銅や銀といった導電性材料を主成分とする芯線がポリウレタン等の絶縁材料により被覆されることにより構成されている。また、巻線２０，２１それぞれの巻回数は１０回である。
【００２１】
巻線２０（第１の巻線）のｘ軸方向の負方向側の一端は、面Ｓ２において外部電極２２と接続され、巻線２０のｘ軸方向の正方向側の他端は、面Ｓ５において外部電極２４と接続されている。
【００２２】
巻線２１（第２の巻線）は、巻線２０と並走するように、巻芯部１４に巻き回されている。また、巻線２１のｘ軸方向の負方向側の一端は、面Ｓ２において外部電極２３と接続され、巻線２１のｘ軸方向の正方向側の他端は、面Ｓ５において外部電極２５と接続されている。
【００２３】
ここで、巻線２０は、図２に示すように、該巻線２０が巻芯部１４に接しているｘ軸方向の負方向側の端部Ａ（第１の端部）から、巻芯部１４におけるｘ軸方向の中央付近、且つ、ｘ軸方向の負方向側寄りの位置Ｂ（第１の位置）までの領域α（第１の領域）において、同一周回の巻線２１に対して、ｘ軸方向の負方向側（一方側）に位置するように巻芯部１４に巻き回されている。なお、領域αにおける巻線２０，２１の周回数は、巻線２０，２１が巻芯部に巻き回され並走を開始するｘ軸方向の負方向側の端点を始点として数え始める。
【００２４】
そして、巻線２０は、巻芯部１４の位置Ｂから巻芯部１４におけるｘ軸方向の中央付近、且つ、ｘ軸方向の正方向側寄りの位置Ｃ（第２の位置）までの領域β内で、巻線２１と交差する。これにより、巻線２０は、該巻線２０が巻芯部１４に接しているｘ軸方向の正方向側の端部Ｄ（第２の端部）から、巻芯部１４におけるｘ軸方向の中央付近、且つ、ｘ軸方向の正方向側寄りの位置Ｃ（第２の位置）までの領域γ（第２の領域）において、同一周回の巻線２１に対して、ｘ軸方向の正方向側（他方側）に位置するように巻芯部１４に巻き回されることになる。また、巻線２０，２１は、巻芯部１４の面Ｓ３で交差している。なお、領域γにおける巻線２０，２１の周回数は、巻線２０，２１が巻芯部に巻き回され並走を開始するｘ軸方向の正方向側の端点を始点として数え始める。
【００２５】
さらに、巻線２０，２１は、図２に示される断面において、巻芯部１４の中心軸上、且つ、領域α及び領域γを結ぶ中点である中点Ｍを通り、該中心軸と直交する直交面Ｓ１０に関して、対称に配置されている。
【００２６】
板状コア５０は、フェライト、アルミナ等の材料により構成されており、図１に示すように、略直方体状を成している。また、板状コア５０は、コア１２のｚ軸方向の負方向側に接着剤により固定されている。なお、コア１２に対して板状コア５０を固定することにより、閉磁路が形成される。
【００２７】
（製造方法  図３〜図５参照）
以下に、実施例であるコモンモードチョークコイルの製造方法について説明する。
【００２８】
まず、コア１２の材料となるフェライトを主成分とした粉末を準備する。そして、準備したフェライト粉末を、雌型に充填する。充填した粉末を雄型で加圧することによって、巻芯部１４の形状及び鍔部１６，１８の形状を成形する。
【００２９】
次に、巻芯部１４及び鍔部１６，１８の成形終了後に焼成を行い、コア１２が完成する。
【００３０】
そして、外部電極２２〜２５を形成するために、鍔部１６，１８の面Ｓ２，Ｓ５のｙ軸方向の両端部に対してＡｇペーストを塗布する。次に、付着したＡｇペーストを乾燥させ、焼成することによって、外部電極２２〜２５の下地電極であるＡｇ膜を形成する。次に、電気めっきなどにより、Ｎｉの金属膜をＡｇ膜上に形成する。更に、電気めっきなどにより、Ｓｎの金属膜をＮｉの金属膜上に形成する。以上により、外部電極２２〜２５が形成される。
【００３１】
次に、コア１２の巻芯部１４に巻線２０，２１を巻きつける。巻線２０，２１を巻きつける工程では、図３に示すように、ノズルＮから２本の巻線２０，２１が同時に引き出される。引き出された巻線２０，２１を鍔部１６上の外部電極２２，２３に当接させ、鍔部１６に向かってヒータチップＱを押し当てる。これにより、巻線２０，２１を外部電極２２，２３に圧着させる。さらに、鍔部１６からコア１２の外部に飛び出した巻線２０，２１の余剰部分をカットする。次に、図４に示すように、巻芯部１４の延在方向を中心軸としてコア１２を回転させつつ、ノズルＮを徐々に鍔部１６の近傍から鍔部１８に向かって動かす。これにより、巻線２０，２１双方が、巻芯部１４に接しながら、並走するように該巻芯部１４に巻き回される。また、このとき、巻線２０が巻線２１に対して、鍔部１６側、つまり、ｘ軸方向の負方向側に位置するように、巻線２０，２１を巻回する。
【００３２】
また、図５に示すように、ノズルＮが中点Ｍに差し掛かかる際に、巻線２０，２１のｘ軸方向の位置関係が逆転するように、ノズルＮを１８０°回転させる。これにより、中点Ｍよりも、鍔部１８側、つまり、ｘ軸方向の正方向側において、巻線２０が巻線２１に対して、ｘ軸方向の正方向側に位置するようになる。その後、さらに、巻芯部１４の延在方向を中心軸としてコア１２を回転させつつ、ノズルＮを徐々に鍔部１８に向かって動かす。そして、巻線２０，２１を鍔部１８上に当接させ、鍔部１８に向かってヒータチップＱを押し当てる。最後に、鍔部１８からコア１２の外部に飛び出した巻線２０，２１の余剰部分をカットすることにより、コモンモードチョークコイル１が完成する。
【００３３】
（効果  図１、図２、図６及び図７参照）
コモンモードチョークコイル１では、図２に示すように、巻線２０は、領域αにおいて、同一周回の巻線２１に対してｘ軸方向の負方向側に位置し、領域γにおいて、同一周回の巻線２１に対してｘ軸の正方向側に位置している。これにより、巻線２０及び巻線２１に交流電流が流れることによって発生する電磁界分布がｘ軸方向の負方向側又はｘ軸方向の正方向側に偏ることが抑制される。その結果、コモンモードチョークコイル１では、モード変換が抑制され、輻射ノイズを抑制することができ、且つ、回路のイミュニティを向上させることができる。以下で、従来のコモンモードチョークコイルに相当するコモンモードチョークコイル５００を比較例として、より具体的に説明する。なお、ｘ軸、ｙ軸及びｚ軸の定義はコモンモードチョークコイル１に準ずる。
【００３４】
コモンモードチョークコイル５００では、図６に示すように、該コモンモードチョークコイルの巻芯部５１４の中央付近で、電界の向きＥ５００が、該巻芯部５１４の延在方向の一方側（ｘ軸方向の負方向側）に向かっている。これにより、コモンモードチョークコイル５００では、その電磁界分布が全体として、巻芯部の一方側に偏ることになる。一方、コモンモードチョークコイル１では、巻線２０を領域αにおいて巻線２１に対してｘ軸方向の負方向側に位置させ、領域γにおいて巻線２１に対してｘ軸の正方向側に位置させたこと、つまり、ｘ軸方向において巻線の配置を対称にしたことにより、図７に示すように、巻芯部１４の中央付近における電界の向きＥ１は、ｚ軸方向となる。つまり、コモンモードチョークコイル１では、巻芯部１４の中央付近における電界の向きが、ｘ軸方向の負方向側又は正方向側に向かっていないため、その電磁界分布が全体として、巻芯部１４の中心軸の延在方向について対称であり、ｘ軸方向の負方向側又は正方向側に偏ることを抑制することができる。その結果、コモンモードチョークコイル１では、モード変換が抑制され、輻射ノイズを抑制することができ、且つ、回路のイミュニティを向上させることができる。
【００３５】
また、コモンモードチョークコイル１では、図１に示すように、巻芯部１４の面Ｓ３の略中央において巻線２０，２１が交差している。ここで、巻線２０，２１それぞれの巻き数は１０回で同数である。このように、巻線２０，２１が巻き回されている領域の中央で交差し、且つ、巻き数が偶数のときは、巻線２０，２１が引き出されている外部電極側の巻芯部の面、つまり、ｚ軸方向の正方向側の面Ｓ３で交差させることにより、巻線２０，２１の巻回数が、領域α及び領域γで等しくなる。これにより、コモンモードチョークコイル１の電磁界分布の偏りが更に抑制される。なお、巻線の巻回数が奇数のときは、巻線２０，２１が巻き回されている領域の中央、且つ、巻線２０，２１が引き出されている外部電極側と反対側である巻芯部１４のｚ軸方向の負方向側の面で交差させることにより、領域α及び領域γで電磁界分布の偏りを抑制することができる。
【００３６】
（変形例）
変形例であるコモンモードチョークコイル１Ａとコモンモードチョークコイル１との相違点は、図８に示すように、巻線２０，２１の巻回数と巻回方法である。具体的には、コモンモードチョークコイル１Ａでは、図９に示すように、巻線２０が巻芯部１４に巻き回され、該巻線２０上にさらに巻線２１が巻き回されている。つまり、巻線２０は、領域α及び領域γにおいて、巻線２１と巻芯部１４とに挟まれるように巻芯部１４に巻き回されている。このように巻き回すことにより、コモンモードチョークコイル１Ａにおける各巻線の巻回数は、コモンモードチョークコイル１より多い３２回となる。
【００３７】
また、コモンモードチョークコイル１Ａもコモンモードチョークコイル１と同様に、巻線２０は、該巻線２０が巻芯部１４に接しているｘ軸方向の負方向側の端部Ａから位置Ｂまでの領域αにおいて、同一周回の巻線２１に対して、ｘ軸方向の負方向側に位置するように巻芯部１４に巻き回され、該巻線２０が巻芯部１４に接しているｘ軸方向の正方向側の端部Ｄから位置Ｃまでの領域γにおいて、同一周回の巻線２１に対して、ｘ軸方向の正方向側に位置するように巻芯部１４に巻き回されている。
【００３８】
以上のように構成されたコモンモードチョークコイル１Ａでは、コモンモードチョークコイル１と比較して、巻線２０，２１の巻回数を多くすることができる。これにより、コモンモードチョークコイル１Ａは、コモンモードチョークコイル１に対して、より大きなインダクタンス値を得ることが出来る。
【００３９】
また、コモンモードチョークコイル１Ａでもコモンモードチョークコイル１と同様に、巻線２０が、領域αにおいて、同一周回の巻線２１に対してｘ軸方向の負方向側に位置し、領域γにおいて、同一周回の巻線２１に対してｘ軸の正方向側に位置している。これにより、巻線２０及び巻線２１に交流電流が流れることによって発生する電磁界分布がｘ軸方向の負方向側又はｘ軸方向の正方向側に偏ることが抑制される。その結果、コモンモードチョークコイル１では、モード変換が抑制され、輻射ノイズを抑制することができ、且つ、回路のイミュニティを向上させることができる。コモンモードチョークコイル１Ａにおける他の構成は、コモンモードチョークコイル１と同様である。従って、巻線２０，２１の巻回方法及び巻き数以外の説明は、コモンモードチョークコイル１での説明のとおりである。
【００４０】
ここで、本願発明者は、コモンモードチョークコイル１，１Ａの効果を確認するために実験を行った。具体的には、実験は、コモンモードチョークコイル１に相当するサンプルＴ１、コモンモードチョークコイル１Ａに相当するサンプルＴ２及び従来のコモンモードチョークコイル５００に相当するサンプルＴ３を用いて、入力したコモンモード信号に対する出力されたディファレンシャルモード信号の割合Ｓｄｓ２１を測定した。なお、各サンプルの大きさは、４．５ｍｍ×３．２ｍｍ×２．６ｍｍであり、巻き回される巻線の線径はφ４０μｍである。さらに、サンプルＴ１及びサンプルＴ３における各巻線の巻き数は１０回であり、サンプルＴ２における各巻線の巻き数は３２回である。
【００４１】
実験の結果、図１０に示すように、測定した周波数帯域の全域において、サンプルＴ１，Ｔ２は、サンプルＴ３に対して、入力したコモンモード信号に対する出力されたディファレンシャルモード信号の割合Ｓｄｓ２１が少ないことがわかる。これは、すなわち、サンプルＴ１，Ｔ２が、サンプルＴ３よりもモード変換が起こりにくいことを示している。
【００４２】
また、４０〜１４０ＭＨｚでは、サンプルＴ２が、サンプルＴ１に対して、入力したコモンモード信号に対する出力されたディファレンシャルモード信号の割合（Ｓｄｓ２１）が少ない。つまり、サンプルＴ２は、上記周波数の範囲で、サンプルＴ１に対して、さらにモード変換が起こりにくいことがわかる。以上の各サンプルの結果から、コモンモードチョークコイル１，１Ａでは、モード変換を抑制できることがわかった。
【００４３】
（他の実施例）
本発明に係るコモンモードチョークコイル及びその製造方法は前記実施例に限定するものではなく、その要旨の範囲内で種々に変更することができる。例えば、巻線の巻回数、コアにおける巻芯部や鍔部の形状、材料等は任意である。さらに、ｘ軸方向における領域αと領域γとを結ぶ中点は、巻芯部１４の中点Ｍと一致していなくてもよい。また、各実施例の構成を組み合わせてもよい。
【産業上の利用可能性】
【００４４】
以上のように、本発明は、コモンモードチョークコイル及びその製造方法に有用であり、輻射ノイズを抑制することができ、且つ、回路のイミュニティを向上させることができる点で優れている。
【符号の説明】
【００４５】
Ａ，Ｄ  端部（第１の端部、第２の端部）
Ｂ，Ｃ  位置（第１の位置、第２の位置）
Ｍ  中点
Ｓ１〜Ｓ５  面
Ｓ１０  直交面
α，δ  領域（第１の領域、第２の領域）
１，１Ａ  コモンモードチョークコイル
１２  コア
１４  巻芯部
１６，１８  鍔部
２０，２１  巻線（第１の巻線、第２の巻線）
２２〜２５  外部電極
【図１】
0005971231.tif 000002
【図２】
0005971231.tif 000003
【図３】
0005971231.tif 000004
【図４】
0005971231.tif 000005
【図５】
0005971231.tif 000006
【図６】
0005971231.tif 000007
【図７】
0005971231.tif 000008
【図８】
0005971231.tif 000009
【図９】
0005971231.tif 000010
【図１０】
0005971231.tif 000011